(57)【要約】【課題】  本発明は、室外の端子を介して、室内までのメタル回線が正常であるか否かを確認する室内回線の正常性判定装置を提供する。【解決手段】  室内モジュラージャックに挿入すると抵抗素子を介して通信回線を導通可能にするモジュラープラグと、通信回線の室外の端子に接続して抵抗値を測る抵抗測定器具とで構成する。【選択図】  図１
2007214888.tif 000002
【特許請求の範囲】
【請求項１】
外部端子と室内モジュラージャックを接続の通信回線が正常か否かを判定する正常性判定装置であって、
前記室内モジュラージャックに挿入すると抵抗素子を介して通信回線を導通可能にするモジュラープラグと、
前記通信回線の室外の端子に接続して抵抗値を測る抵抗測定器具とで構成することを特徴とする正常性判定装置。
【請求項２】
請求項１の正常性判定装置であって、
抵抗値を異にする抵抗素子に対応してＩＤ番号を作成し、
抵抗測定器具で測定した抵抗値に対応するＩＤ番号を表示器に表示可能であることを特徴とする正常性判定装置。
【請求項３】
請求項１又は請求項２の正常性判定装置であって、
抵抗素子とダイオードを直列に接続することを特徴とする正常性判定装置。
【発明の詳細な説明】
【技術分野】
【０００１】
本発明は、室外の端子を介して、室内までのメタル回線が正常であるか否かを確認する電話回線の正常性判定装置に関する。
【背景技術】
【０００２】
従来、外部回線網から室内モジュラージャックに到るメタル回線が、正常であるか否かの確認は室内モジュラージャックの端子を介して取り付けた電話機に、電話をかける等により行っていた。
しかし、近年、固定電話を持たず、ＶＤＳＬ、ＡＤＳＬ等を利用したインターネット接続を開始する需要者が増加している。そこで、メタル回線工事を実施し、そのメタル回線の開通工事において、各室内における確認試験が可能である場合には問題がないが、留守であったり、在室であってもプライバシーの関係から室内に入っての最終確認試験ができない場合がある。
【発明の開示】
【発明が解決しようとする課題】
【０００３】
前記のように、室内に入って、メタル回線の最終確認ができない場合に、契約者（需要者）がインターネット接続を開始したとき、接続できないことが生ずることがある。
そこで、本願の発明は、工事作業者が室外で、室内までのメタル回線が正常であるか否かを確認するメタル回線の正常性判定装置を提供する。
【課題を解決するための手段】
【０００４】
請求項１の正常性判定装置は、外部端子と室内モジュラージャックを接続のメタル回線が正常か否かを判定するものである。そして、室内モジュラージャックに挿入して、メタル回線の両端子を抵抗素子を介して導通可能にする抵抗タグと、室外のメタル回線の端子に接続して、前記抵抗タグの抵抗値を測る抵抗測定器具とで構成してある。
抵抗タグを室内モジュラージャックに挿入すると、抵抗素子を介して導通状態になる。一方、室外のメタル回線の端子において、その抵抗値を測定することによって、抵抗値が測定されたとき、メタル回線は正常であると判定できる。
又、請求項２の正常性判定装置は、抵抗値を異にする抵抗素子に対応してＩＤ番号が作成してあり、抵抗測定器具で測定した抵抗値に対応するＩＤ番号を表示器に表示可能である。そのため、抵抗素子とＩＤ番号が一致すると正常であることを工事作業者は判断できる。
又、請求項３の正常性判定装置は、抵抗素子とダイオードを直列に接続してある抵抗タグを用いる。
抵抗素子とダイオードが直列に接続してある抵抗タグを用いる場合には、電流の極性を変更して、抵抗素子の抵抗値を測定することによって、より正確な判断ができる。
【発明の効果】
【０００５】
請求項１の正常性判定装置は、抵抗タグを室内モジュラージャックに挿入し、室外のメタル回線の端子で前記抵抗タグの抵抗値を測ることによって、正常なメタル配線であるか否かが、室外で容易に判る。
又、請求項２の正常性判定装置は、抵抗素子の抵抗値に対応するＩＤ番号が表示器に表示されるので、簡便に、正常であるか否かが容易に判る。
又、請求項３の正常性判定装置は、抵抗素子とダイオードが直列に接続してある抵抗タグを用いることによって、より正確に、正常であるか否かが判る。
【発明を実施するための最良の形態】
【０００６】
本願発明を図面を参照して説明する。図１はマンション等に設置のメタル回線網である。外部の電話網からのメタル回線は、ビル内に設置の主配線盤の端子を介して、ＶＤＳＬ装置に接続してある。又、インターネットは、光回線を介して前記ＶＤＳＬ装置に接続してある。
そして、このＶＤＳＬ装置に付設の端子板から、各室（１〜ｘ）に接続するためのローカル端子盤に接続してある。このローカル端子盤には複数の端子が設けてあり、各端子と各室へはメタル回線（Ｌ１、Ｌ２）が接続してある。また、そのメタル回線（Ｌ１、Ｌ２）の各室の終端部には、出力端子ａ、ｂを備えるモジュラージャックが設けてある。そして、このモジュラージャックの前記出力端子ａ、ｂに電話、パソコン等をケーブルで接続すると、外部の電話網やインターネット網に接続できる。
【０００７】
次に、図２はメタル回線が正常であるか否かを確認する正常性判定装置の使用状態を示す概念図であり、正常性判定装置を構成する抵抗タグと抵抗測定器具を示す図である。又、図３は抵抗測定器具の構成ブロック図であり、図４は抵抗タグの斜視図である。
抵抗タグ（１０）は、モジュラープラグ（１１）と抵抗素子を内蔵の手持ち部（１２）とで構成してあり、前記手持ち部（１２）には抵抗素子Ｒに対応するＩＤ番号（１５）が表示してある。
尚、前記抵抗素子Ｒの抵抗値は、絶縁障害にならない程度に高く、断線判定が可能な程度に低いことが必要で、２００ｋΩ〜１ＭΩの範囲が望ましい。
又、前記抵抗タグ（１０）は、異なる抵抗値の抵抗素子で複数個、作成してあり、それらの抵抗値に対応するＩＤ番号（１５）を抵抗測定器具に備えてあるＲＯＭに記憶してある。
又、モジュラープラグ（１１）は前記モジュラージャックに挿入可能であり、挿入すると、モジュラージャックの端子ａと端子ｂは、抵抗素子Ｒを介して接続され、メタル回線Ｌ１、Ｌ２は抵抗素子（Ｒ）を通して、室内で閉ループを形成する。
【０００８】
又、前記各室（１〜ｘ）へ接続のメタル回線Ｌ１、Ｌ２の他端子は、室外に設置のローカル端子盤の端子（Ａ、Ｂ）に接続してあり、これらの端子（Ａ、Ｂ）に、抵抗測定器具の入力端子（ｘ、ｙ）をテスト線を介して接続する。
又、この抵抗測定器具は、後述のソフトウエアを実行するＣＰＵ、ＲＡＭ、制御ソフトウエアを記憶のＲＯＭを備えると共に、試験結果の「ＩＤ番号」等を表示する表示器、ＩＤ番号表示を開始するＩＤ釦、及び試験を開始する試験開始釦を備えている。
又、抵抗測定器具の入力端子（ｘ、ｙ）には、自動切り替え可能な抵抗素子測定回路、電圧測定回路及び容量測定回路が接続してあり、メタル回線（Ｌ１、Ｌ２）の状態を調べることができる。
【０００９】
又、前記ＲＯＭには、抵抗タグに内蔵の抵抗素子の抵抗値と、その抵抗値に対応するＩＤ番号が記憶してある。
例えば、抵抗値が「２００ｋΩ」のときには、ＩＤ番号は「１」、抵抗値が「２２０ｋΩ」のときには、ＩＤ番号は「２」、……のように記憶してある。
【００１０】
次に、前記メタル回線が正常であるか否かを確認する正常性判定装置の使用方法について説明する。
（１）工事依頼者は工事業者に工事等を依頼すると、工事作業者は郵送等で「抵抗タグ（ＩＤ番号が既知）」を工事依頼者に配送する。そして、工事依頼者は自室のモジュラージャックに抵抗タグを挿入しておく。
（２）工事作業者は工事が終了すると、前記工事依頼者に接続されているローカル端子盤の端子（Ａ、Ｂ）に抵抗測定器具の入力端子（ｘ、ｙ）を接続する。
（３）工事作業者は、「ＩＤ釦」を押すと、メタル回線の抵抗値を測定する前に、先ず、電圧測定回路に入力端子（ｘ、ｙ）が接続されて、抵抗値測定の支障となる外来電圧を測定する。尚、この電圧測定回路の入力インピーダンスは低く設定されており、メタル配線や端末機器などが持つ静電容量に回線電圧が充電されていても、短時間に放電することができる。その結果、規定値以下の電圧値の場合は抵抗測定に移る。
しかし、既定値以下にならない場合には、外来電圧の存在を表示器に示すと共に、抵抗値のＩＤ番号表示が不可能である旨を表示するか、後述の抵抗素子測定回路に切り替えて抵抗値を想定し、その抵抗値に対応するＩＤ番号を参考値として表示する。
【００１１】
（４）前記において、抵抗値の測定が可能な場合には、抵抗素子測定回路に切り替えて抵抗値を測定し、その測定された抵抗値に対応するＩＤ番号を表示する。
この表示されたＩＤ番号が、前記依頼者に送付した「抵抗タグ（ＩＤ番号が既知）」と比較し、一致すれば、確認試験は正常であり、異なっている場合には、工事に誤りがあることが判る。
以上のように、予め、工事依頼者に「抵抗タグ（ＩＤ番号が既知）」を送付して、モジュラージャックに挿入することを依頼しておくことによって、工事作業者は室外の端子を用いて、工事依頼者にまでのメタル回線が正常であるか否かの試験を行うことができる。
従って、工事依頼者は、室内に工事作業者を入れる必要がなくなり、留守であっても工事を依頼することができる。
【００１２】
又、他の抵抗タグとして、前記抵抗タグに備えてある抵抗素子Ｒに直列にダイオードを配置する。即ち、閉ループは、抵抗素子Ｒ〜ダイオードの直列で形成される。
そして、前記抵抗測定器具の入力端子（ｘ、ｙ）をローカル端子盤の端子に接続すると共に、抵抗素子Ｒとダイオードの組合せで構成の抵抗タグを工事依頼者のモジュラージャックに挿入する。
抵抗測定器具によって、順方向に流す電流に基づいて抵抗値を測定し、次に、逆方向の電流を流して抵抗値を測定する。そして、この測定された抵抗値が、ダイオードの導通状態と遮断状態における相違が出れば正常なメタル回線であると判断できる。
【００１３】
尚、このダイオードを直列に用いる場合には、抵抗測定のための電流がダイオードに流れる際、ダイオードの両端に順電流が発生して抵抗測定誤差が生じる。そこで、ダイオードの順電流を演算により除去する必要がある。順電圧は、０．６Ｖでほぼ一定のため、単純な減算処理とすることもできる。
【００１４】
又、抵抗測定器具をアース線を介してアースしておくと、抵抗測定器具に内蔵の抵抗素子測定回路、電圧測定回路及び容量測定回路により、メタル回線（Ｌ１〜Ｌ２）間、メタル回線（Ｌ１〜アース）間、メタル回線（Ｌ２〜アース）間の、絶縁抵抗、直流電圧、静電容量が測定でき、これらの値により、メタル回線（Ｌ１、Ｌ２）が正常に接続してあるか否か判断できる。
【図面の簡単な説明】
【００１５】
【図１】マンション等に設置のメタル回線網の図である。
【図２】メタル回線が正常であるか否かを確認する正常性判定装置の使用状態を示す概念図である。
【図３】抵抗測定器具の構成ブロック図である。
【図４】抵抗タグの斜視図である。
【符号の説明】
【００１６】
１０  抵抗タグ
１１  モジュラープラグ
１２  手持ち部
１５  ＩＤ番号
１〜ｘ  室
Ｌ１、Ｌ２  メタル回線
【図１】
2007214888.tif 000003
【図２】
2007214888.tif 000004
【図３】
2007214888.tif 000005
【図４】
2007214888.tif 000006